(57)【特許請求の範囲】
【請求項１】
同一の温度条件下において、２成分混合ガスを任意の吸着剤に吸着させたときの前記２成分混合ガスの吸着モル数及び吸着質量を、容量法吸着測定装置及び質量法吸着測定装置を用いてそれぞれ測定し、
測定された前記２成分混合ガスの吸着モル数及び吸着質量と、各成分ガスの分子量とに基づいて、各成分ガスの吸着量を算出するようにしたことを特徴とする２成分混合ガスにおける各成分ガスの吸着量測定方法。
【請求項２】
前記２成分混合ガスの吸着モル数及び吸着質量を測定する際、同一試料に対して、容量法及び質量法を組み合わせた容量法質量法同時吸着装置を用いて測定するようにした請求項１に記載の２成分混合ガスにおける各成分ガスの吸着量測定方法。
【発明の詳細な説明】
【０００１】
【発明の属する技術分野】
混合ガスの選択吸着（または脱着）法による分離精製法、あるいは接触触媒などのガスの化学反応などの基礎データとして、２成分混合ガスの各成分毎の吸着（または脱着）量を簡単に測定する事が出来る方法を開発し、吸着（または脱着）法による分離精製技術や混合ガスの化学反応技術を向上させる事が出来る。
【０００２】
【従来の技術】
従来の混合ガスからの純粋成分の分離技術には、化学変化を利用する方法や、混合ガスを液化してから沸点などの違いを利用して分別蒸留する方法などが多いが、分離に要するエネルギー消費量を減少させ、反応物質、設備などの製造原価を少なくする方法として、吸着剤による吸着質の選択吸着性を利用する分離精製法が重要になってきた。また触媒化学反応では、触媒への混合ガスの吸着量を知る事が、反応機構をより詳細に明らかにし、最適反応条件を求めるために必要な事が多い。
【０００３】
これらの吸着技術、反応工程などの能率を上げるためには、吸着剤への混合ガスの各成分の吸着（または脱着）量を正確に知る必要がある。従来このために、当該混合ガスの各成分純粋ガスの吸着剤への吸着（または脱着）量を、容量法または重量法により別々に求め、それらの各純粋成分の吸着（または脱着）量または吸脱着等温線から、混合ガス吸着量中の各成分の吸着（または脱着）量を各種の経験的理論的な仮定に基づいて推定していた。
【０００４】
しかし、混合ガスの吸着（または脱着）の場合には、各成分ガスと吸着剤表面との吸着相互作用エネルギーがそのガスや吸着剤の種類の違いにより異なり、また種類の違う成分ガス分子同士の吸着剤表面での複雑な相互作用が見られる。それゆえ上述の推定方法による各成分化合物の吸着（または脱着）量は、実際の値と離れている事が多いと考えられる。
【０００５】
したがって、より正確に吸着（または脱着）による分離や化学反応技術の基礎的物理的条件を求めるためには、ガス圧を変えて、混合ガスの分圧を求め、それと平衡している吸着混合物だけを各種の物理的化学的方法で分析し、各成分含有量を求めていた。しかしこの方法は甚だしく手数と時間を消費し、また得られた結果にも誤差が大きい場合が多く、再現性に問題がある。このように、吸着分離、触媒化学反応などのような、固体表面における混合ガスの相互作用に関係する科学技術の基礎となる、合理的な混合ガス吸着質の各成分量の測定方法は現在見られない。
【０００６】
【発明が解決しようとする課題】
２成分混合ガスの各成分の吸着（または脱着）量を容易に直接実験的に求め、吸着分離、触媒化学反応などの科学技術の正確な基礎データを求める方法を発見する。
【０００７】
【課題を解決するための手段】
この発明は、同一の温度条件下において、２成分混合ガスを任意の吸着剤に吸着させたときの前記２成分混合ガスの吸着モル数及び吸着質量を、容量法吸着測定装置及び質量法吸着測定装置を用いてそれぞれ測定し、測定された前記２成分混合ガスの吸着モル数及び吸着質量と、各成分ガスの分子量とに基づいて、各成分ガスの吸着量を算出するようにしたことを特徴とする２成分混合ガスにおける各成分ガスの吸着量測定方法を提供するものである。特に、請求項２にかかる発明の吸着量測定方法のように、前記２成分混合ガスの吸着モル数及び吸着質量を測定する際、同一試料に対して、容量法及び質量法を組み合わせた容量法質量法同時吸着装置を用いて測定するようにしておくと、両測定法で測定されたデータの組み合わせの信頼性及び時間的な測定能率が向上する。
【０００８】
吸着剤へのガスの平衡吸着量を求める方法には容量法と重量法がある。（参考文献、近藤精一、石川達雄、安部郁男、「吸着の科学」、丸善、１９９２）。先ず容量法の原理を簡単に述べると、一定既知容積Ｖ１の基準容積中の圧力Ｐ１モル数ｎ１のガスを、予めＶ１を用い理想気体の状態式から測定された死容積と呼ばれる容積Ｖ２を持つ、吸着剤を含む真空容器内に導入する。ガスが吸着されると、吸着質量分だけガスのモル数は変化してｎ２となり、平衡圧力は変化してＰ２となる。これらの物理量の関係は近似的に理想気体の状態式を用い、Ｒを気体定数、Ｔを吸着平衡の絶対温度とすれば、数１及び数２となる。
【０００９】
【数１】
0003703209.tif 000002
【００１０】
【数２】
0003703209.tif 000003
【００１１】
数１、数２の各式からｎ１、ｎ２が求められ、Ｎ＝ｎ１−ｎ２が吸着質のモル数として得られる。吸着（または脱着）質量Ｗは、分子量Ｍをとすれば、数３となる。この方法により吸着（または脱着）等温線を求める事も出来る。
【００１２】
【数３】
0003703209.tif 000004
【００１３】
一方、吸着（または脱着）質量Ｗは、重量法により、吸着（または脱着）ガスと平衡している吸着剤の質量ｗ１と吸着後の吸着剤の質量ｗ２との差から、数４として求められる。
【００１４】
【数４】
0003703209.tif 000005
【００１５】
ただし、以上の両方法とも実験技術としては、測定試料の表面積にくらべ測定容器の表面積が無視できない場合には容器表面へのガス吸着（または脱着）量、大気圧変化、測定ガスの理想気体からのズレなどを補正する必要がある。
【００１６】
二成分系混合ガスの場合には、それぞれ分子量Ｍｘ、Ｍｙであるｘ、ｙ２成分の混合ガスの任意の吸着剤への一定温度での平衡全混合吸着（または脱着）量は容量法により、上記の方法と同様に全吸着（または脱着）モル数として求められる。このモル数Ｎは、各成分ガスのガスの吸着（または脱着）モル数、ｎｘ、ｎｙの和として、数５に示す式で表される。
【００１７】
【数５】
0003703209.tif 000006
【００１８】
また質量法では、混合ガス全吸着（または脱着）質量Ｗは各成分の吸着（または脱着）質量をｗｘ、ｗｙの和として、数６または数７に示す式として測定される。
【００１９】
【数６】
0003703209.tif 000007
【００２０】
【数７】
0003703209.tif 000008
【００２１】
以上の各方法による各成分の吸着（または脱着）モル数Ｎ＝ｎｘ＋ｎｙおよび吸着（または脱着）質量Ｗ＝ｗｘ＋ｗｙの測定値から、数５及び数７に示す２元連立方程式、またはこの式と原理的に同等の式を解くと、各成分の吸着（または脱着）モル数ｎｘ、ｎｙまたは吸着（または脱着）質量、ｗｘ、ｗｙを求めることができる。
【００２２】
全吸着（または脱着）モル数Ｎおよび吸着（または脱着）質量Ｗの測定は、各々独立に、自動または手動の容量法、および質量法の測定装置をもちいて測定する事が出来る。しかし、この場合には、それぞれ別々の試料を使うため、微妙な試料毎の違いがあり、また両測定法のデータの組み合わせの信頼性が低く、さらに時間的能率が悪い。これらの欠点を解消するには、同一試料を使って容量法、質量法を組み合わせた１つの測定装置を用いる必要がある。この装置で吸着質量Ｗ、吸着モル数Ｎを同時に測定する事により、吸着（または脱着）量測定の精度が向上し測定の能率が上がる。さらに、電子計算機を用いて測定を自動化させ、各成分の分子量、吸着質量Ｗ、吸着モル数Ｎの測定値から各成分の吸脱着モル数および平衡ガスのモル数を同時に求める事が出来る。
【００２３】
さらに、上述した同時質量モル数測定装置に、試料容器部と開閉バルブで結ばれた基準容積部および同じく開閉バルブで結ばれたｘ成分容器、ｙ成分容器、真空排気ポンプを設置し、第１段混合ガスからの各成分吸着（または脱着）モル数および吸着（または脱着）質量を同時に求める。次に、この結果から、上述したように、第１段吸着平衡状態の混合ガスのモル数を計算により求める。次に、試料容器部と基準容積部の間の開閉バルブを閉じ、基準容積部の混合ガスのモル数比を上述の第１段導入ガスのモル数比に等しくなるように調節したのち、その圧力を所定の値になるように調節し、第２段導入ガスとする。第２段導入ガスを試料部に導入し、上述したように、第２段吸着平衡状態の各成分の吸着（または脱着）モル数、平衡ガスのモル数を求める。このようにして得られたデータを用いて、第１段平衡ガスのモル数比を求め、さらに第２段導入ガスのモル数比と圧力を調整し、第２段吸脱着を行い、さらに段数を重ねて多点測定を行い、近似的に一定モル数比の２成分混合ガスの各成分毎の吸脱着等温線を求める事が出来る。
【００２４】
しかし、この同時測定を実行するためには以下に擧げる問題点を解決する必要がある。容量法では数１及び数２の各式のガスの占める容積は、導入ガスの容器の容積Ｖ１と試料管の死容積Ｖ２であり、測定精度を上げるためには、これらの容積、特に死容積Ｖ２を吸着量に比べて小さくし、従って導入圧力Ｐ１と吸着平衡圧力Ｐ２との差を大きくさせる事が望ましい。
【００２５】
一方、質量法では、吸着（または脱着）質量を測定するためには、通常は電気天秤、スプリング型重量秤などを利用しているが、電気天秤はその容積の大きい天秤系全体を密閉し、ガス雰囲気中に置く必要があるため、死容積Ｖ２がはなはだしく大きい。ゆえにこの装置に容量法を適用する場合は、測定値の信頼性が非常に低くなり、現状では殆ど不可能である。またスプリング型重量秤の場合にも、天秤に比べて死容積は小さいが、それでもスプリングの占める死容積が大きくなり、また、この方法では質量測定精度は低いので、微小吸着（または脱着）量の測定には不利である。したがって、これらの質量測定法は本発明の目的に合っているとは言えない。
【００２６】
死容積Ｖ２の小さい質量測定天秤としては、例えば磁気浮上型秤がある。この秤は、図１に示すように、質量測定密閉容器の容量Ｖ２を電気天秤に比べ１／１００程度にする事が出来るので、本発明の原理を満足する事が出来る。ゆえに、この装置を、吸着（または脱着）質量測定と共に容量法吸着装置として用い、容量法により混合ガスからの混合吸着（または脱着）モル数を同時に測定し、数５及び数７に示す２元連立方程式、またはこの式と原理的に同等の式を解くことによって、各成分の吸着量を求める事ができる。なお、重量の変化は化学天秤または、支持棒の上昇下降の変化位置を光学的、電気的または磁気的に検出し、常に一定位置に支持棒が位置するように外部電気コイルに電流を流して調節し、その電流値から重量を求める機構により測定することができる。
【００２７】
本発明の方法では、正確に質量を測定する場合には、雰囲気による浮力の補正が必要である。浮力補正の方法としては、ガス吸着測定の前に予め試料と同容積でおよそ同質量を持つ、ガス吸着量が無視できる表面積の小さい物質を試料の代わりとして用い、いわゆるブランク測定を行い、近似的に浮力補正する事ができる。
【００２８】
測定に必要なガスの分子量および圧力の範囲が広い場合には、更に正確に質量を測定する必要があり、上記の方法とは異なる方法を用いる事により、浮力補正だけでなく吸着平衡ガスの各成分のモル数、吸着質の各成分のモル数をも求める事が出来る。即ち、上述した磁気浮上型天秤の試料部と結合している支持体の一部に浮力測定部（例えば密閉中空容器）を設け、試料部と密閉中空容器をつけた上部支持棒とを必要に応じて測定中に分離できる構造とし、支持棒のみと支持棒と試料部の合計質量とを別々に測定出来るように電子回路を設ける。この機構で試料質量の測定とともに、支持棒のみの質量を測定する事により、吸着平衡ガスによる浮力およびガスの密度を求め、後述する数８、数９、数１０、数１１、数１２、数１３に示す各式を用い、混合ガスの密度と圧力の関係から吸着平衡ガスの全モル数、各成分のモル数を求め、さらに導入ガスの各成分モル数との差から吸着質の各成分のモル数と吸着質量を求める。
【００２９】
測定媒体雰囲気の浮力の補正式は、数８に示す式となる。但し、試料を含む天秤全体の真質量をＷ１、天秤の指示質量をＷ２、質量検量時の雰囲気（例えば空気）の密度をｄｉ、天秤系全体と検量に用いた標準重りを合わせた密度をｄｋｇ、測定時の雰囲気の密度をｄａ、測定時の天秤系全体と試料を合わせた密度をｄｍｇとする。
【００３０】
【数８】
0003703209.tif 000009
【００３１】
吸着平衡時の圧力Ｐ２から、数２に示す式により測定のガスの全モル数ｎ２が得られ、ｎ２ｘ、ｎ２ｙを各成分のモル数とすれば、数９または数１０となる。また、そのガスの質量Ｗ３は、数１１に示す式により求められる。
【００３２】
【数９】
0003703209.tif 000010
【００３３】
【数１０】
0003703209.tif 000011
【００３４】
【数１１】
0003703209.tif 000012
【００３５】
ゆえに、このガスの密度は、数１１に示す式を用い、数１２に示す式となる。この式に数１０に示す式を代入すると、数１３に示す式となる。
【００３６】
【数１２】
0003703209.tif 000013
【００３７】
【数１３】
0003703209.tif 000014
【００３８】
数８に示す式でＷ１、Ｗ２、ｄｉ、ｄｋｇ、ｄｍｇは測定値であるから、上述したように、吸着平衡ガスの支持棒に対する浮力の測定値からｄａを求め、数１０、数１２、数１３式から、吸着平衡混合ガスの各成分のモル数ｎ２ｘ、ｎ２ｙを求める事が出来る。さらに、これらのｎ２ｘ、ｎ２ｙと導入ガスのモル数ｎｘ、ｎｙの差から、吸着質の各成分のモル数を求める事が出来る。さらに、上述したように、これらのｎ２ｘ、ｎ２ｙの値を第２段導入ガスの制御に利用する事が出来る。
【００３９】
【発明の実施の形態】
本発明の吸着（または脱着）量測定法およびその装置について、より好ましい実施形態を、上述した磁気浮上型秤の設計の１例として化学天秤を利用した原理的な図１と、上述した吸着質量モル数同時測定システムの原理的な測定法の１例を図２として参照しながら説明する。但しこれらの図１、２は測定原理を図示したものであり、システムに必要なガス混合器、定温槽、試料冷却加熱装置、大気圧変動測定装置などの付属設備は除いてある。また測定システムの具体的な設計、圧力計等の測定器、配管、バルブなどの種類および使用する材料の種類等は測定試料（吸着剤、吸着ガス）、測定目的、測定温度、測定圧力に対応してより最適のものを選ばなければならない。
【００４０】
まず磁気浮上型秤の機構を図１に基づき以下に説明する。質量測定部は棒状の支持体の真ん中に永久磁石をもち、この永久磁石の上部に浮力測定用の密閉中空容器をつけ、その支持棒の最下部に、支持棒を上昇下降する事により試料かご支持台に試料かごを乗せる機構により、支持棒から着脱可能なかごをぶら下げ、それに試料を乗せる。支持棒の頂上には永久磁石を付け、その直上にある密閉容器外の化学天秤と磁気的に結合させ、支持棒の上昇下降により質量を測定する。また重量測定方法としては、化学天秤を使用せず、支持棒の上昇下降の変化位置を光学的、電気的または磁気的に検出し、常に一定位置に支持棒が位置するように外部電気コイルに電流を流して調節し、その電流値から重量を求める事もできる。
【００４１】
この支持棒を収容できる必要最少限度の容積を持つ密閉容器内に、その支持棒を垂直方向に置き、その密閉容器外の下部に試料の加熱冷却装置を付ける。また外部電磁石を支持棒中央部の永久磁石の外側に置き、精密に制御された電流を電磁石に流し、必要に応じて一定の高さに支持棒を浮上または降下させる。
【００４２】
この装置の死容積Ｖ２は、密閉容器と支持体との間の隙間の容積で、およそ２０ｍｌ以下であり、上記の電気天秤などよりも死容積を遥かに小さくする事が出来る。この死容積の値を容積既知のガス溜Ｖ１により理想気体の状態式を持ちいて正確に測定する。
【００４３】
磁気浮上型秤の材質としては磁化率の小さいステンレス鋼、その他の合金、石英ガラスなどを用いる事が出来、殆ど全ての種類のガスを広い温度範囲で使用する事が出来る。しかし上述の質量測定法と同様に容器、秤量系へのガス吸着（または脱着）およびガスの圧力変化による浮力などの補正を行う必要がある。
【００４４】
質量容量法同時測定システムを図２に示す。このシステムは（イ）死容積Ｖ２の天秤、（ロ）ガス圧力測定器、（ハ）容積Ｖ１の標準容積ガス容器、（ニ）真空排気装置、（ホ）化学天秤、および（ヘ）成分ガスのタンク１、（ト）成分ガスのタンク２、（１）、（２）、（３）、（４）の開閉制御バルブ、および（イ）、（ロ）、（ハ）、（ニ）、（ヘ）、（ト）の諸機器をつなぐガス、真空配管、および電子計算機と質量天秤、化学天秤、圧力計、制御バルブ等をつなぐケーブルからなる。
【００４５】
操作方法の１例を述べる。天秤（イ）には図１記載の磁気浮上型秤を用いる。所定量の測定試料をかごにいれ、支持棒につけ密閉容器にいれる。バルブ（１）、（２）を開き（３）、（４）を閉じ測定システムを排気し、支持棒下部にある試料の脱ガス等の前処理を所定の温度で行う。所定の真空状態になれば、試料と磁気結合させた支持棒全体の質量（風袋）を０ｇに調整する。試料部を所定の一定測定温度に調節する。
【００４６】
バルブ（１）、（２）を閉じ、（３）、（４）を開き、図２に示したガスタンク（チ）、（ト）から所定のモル数、および全圧力までガスｘ、ｙを基準容積部（容積Ｖ１）に導入し、それぞれのガスの分圧ｐ１、ｐ２、全圧Ｐ１を正確に求める。バルブ（３）、（４）を閉じ、バルブ（１）を静かに開け、（イ）に混合ガスを導入すると、吸着剤試料にガスが吸着し圧力が下がるので、その平衡圧Ｐ２を測定する。同時に吸着により試料質量が増加するので、その吸着平衡増加量Ｗを測定する。測定されたＰ１、Ｐ２、Ｖ１、Ｖ２等の値から、上述したように、数１及び数２の各式により、全吸着モル数Ｎを求める。続いてこのＮとＷから、数５、数７に示す２元連立方程式を用いて、分子量Ｍｘ、Ｍｙのｘ，ｙ各成分の吸着モル数および吸着質量それぞれｎｘ、ｎｙ、ｗｘ、ｗｙを求める。
【００４７】
さらに、上述したように、試料部を下降して支持棒から外し、支持棒だけの質量を測定し、数８、数９、数１０、数１１、数１２に示す式を用い、その浮力を測定し、吸着平衡ガスのモル数、さらに吸着質の各成分のモル数を求める。測定試料量、前処理温度、吸着平衡温度、前処理時間、吸着時間、吸着ガスの到達圧力その他の諸条件は試料の種類と形状、真空排気速度、実験の目的などによるので、最も適正な条件を選ぶ。
【００４８】
以上の測定操作が終われば、上述したように、第１ガス導入段階に続いて第２段階以後の操作を繰り返し、ガスの圧力、濃度変化と吸着量の関係を求める。この操作は吸着方向の測定法であるが、脱着方向も原則としてこの逆の順序で操作を行う事が出来る。
【００４９】
以上の操作法によってエタノール−水系混合ガスを活性炭に吸脱着させた結果の１例を以下に述べる。
【００５０】
比表面積２５００ｍ２／ｇ、細孔径０．９５ｎｍ、細孔容積１．２５ｎｍを持つ活性炭０．２６８２ｇを測定支持棒のかごに入れ、１０００℃で２時間真空排気し、吸着されていた吸着質および表面官能基などを全て脱気する。先ず、測定部（ハ）に、４０℃で水とエタノールの分圧がそれぞれ３７．５Ｔｏｒｒおよび１２．６Ｔｏｒｒである水蒸気とエタノール蒸気の圧力５０．１Ｔｏｒｒの混合ガス６１６０ｍｌをタンク（ヘ）、（ト）から導入し、続いて（イ）に混合ガスを導入して吸着剤に平衡吸着させた。
【００５１】
吸着の結果、ガスの圧力は低下して２６．１Ｔｏｒｒとなり、差圧は２４．０Ｔｏｒｒ、吸着モル数Ｎ＝７．５７ｍｍｏｌとなった。また活性炭の質量増加（吸着質量）はＷ＝０．１９３７ｇであった。水およびエタノールの分子量はそれぞれ１８および４２．１であるから、数５及び数７に示す２元連立方程式を用いて計算すると、水及びエタノールの吸着モル数ｎｘ、ｎｙはそれぞれ２．０５および５．５２ｍｍｏｌであった。
【００５２】
続いて、上述の測定操作にしたがって段階的に徐々に減圧して行き、この吸着質を含む活性炭の各平衡圧での各成分の脱着モル数それぞれｎｘｍｍｏｌ，ｎｙｍｍｏｌと、数１４及び数１５に示すモル分率Ｘｘ、Ｙｙを上述した方法によって求める。
【００５３】
【数１４】
0003703209.tif 000015
【００５４】
【数１５】
0003703209.tif 000016
【００５５】
さらに、その平衡圧でのガス相のアルコールおよび水のモル数から求めた分圧ｐｘ〔Ｔｏｒｒ〕、Ｐｙ〔Ｔｏｒｒ〕及びモル分率Ｘ’ｘ、Ｙ’ｙをそれぞれ求めた。アルコールと水の分離効率は、数１６に示すように、吸着相のエタノールと水のモル分率比Ｘｘ／Ｘｙと、その平衡ガス相のモル分率比Ｘ’ｘ／Ｘ’ｙの比率Ｓで表され、この値を表１に示す。
【００５６】
【数１６】
0003703209.tif 000017
【００５７】
【表１】
0003703209.tif 000018
【００５８】
この表から、分離効率Ｓは、脱着平衡圧力の低い場合ほど大きいことがわかる。これらの結果は本発明の方法により初めて得られたものである。
【００５９】
【発明の効果】
本発明の吸脱着法によれば、２成分系混合ガスの各成分の吸着量を実験的に非常に簡単に直接求める事が出来る。この効果として、本発明の方法を用いることにより、効率的な混合ガス分離工程を決定する事ができ、低エネルギーコストで高純度のエタノールを吸着圧力スイング法により簡単に分離精製できる事を示した。
【図面の簡単な説明】
【図１】この発明にかかる２成分混合ガスにおける各成分ガスの吸着量測定方法において、磁気浮上型天秤の質量測定部として化学天秤を使用した場合を示す原理図である。
【図２】吸着混合ガスモル数、吸着質量同時測定システムを示す原理図である。
【符号の説明】
イ  質量天秤
ロ  ガス圧力測定器
ハ  標準容積のガス容器
ニ  真空排気装置
ホ、ヘ  成分ガスタンク
１、２、３、４  制御バルブ
【図１】
0003703209.tif 000019
【図２】
0003703209.tif 000020